(57)【特許請求の範囲】
【請求項１】
被監視電路の計器用変圧器からの電圧信号を変換する信号用変圧器と、
２組以上の被監視電路の計器用変流器からの電流信号を変換する２組以上の内部変流器と、
前記信号用変圧器からの電圧信号及び前記2組以上の内部変流器からの電流信号を所定のタイミングで択一的に選択する選択手段と、
該選択手段により選択した電圧信号及び電流信号をディジタル量に変換するアナログ／ディジタル変換手段と、
該アナログ／ディジタル変換手段により変換したディジタル量を記憶する記憶手段と、
前記被監視電路の計器用変圧器の一次定格電圧値及び前記被監視電路の２組以上の計器用変流器の一次定格電流値を設定する定格値設定手段と、
前記記憶手段により記憶したディジタル量と前記定格値設定手段により設定された一次定格電圧値と一次定格電流値とから前記被監視電路の電気量の演算をする中央処理装置と、
上位装置に対して前記演算の結果得られた電気量のデータを伝送する伝送手段と、
を筐体に一体に収納することを特徴とする伝送端末装置。
【発明の詳細な説明】
【０００１】
【産業上の利用分野】
本発明は配電系統の諸電気量を現場で計測して中央設置の上位装置に伝送する伝送端末装置に係り、特に、配電系統の分岐（フィーダ）毎の電気量を計測し上位装置に伝送するのに好適な伝送端末装置に関する。
【０００２】
【従来の技術】
工場やビル等における受配電系統の諸電気量の計測・監視は、電源の安定供給や、負荷状況把握に必要である。例えば、特開昭６０−１８６００７号公報には、変圧器の監視を行う従来技術が記載されており、実開昭６１−１４８５４号公報には、最大需要電力（デマンド）を監視する従来技術が記載されている。
【０００３】
このような受配電系統の計測・監視を行う設備や装置は、投資費用が高いため、上記従来技術の如く、計測・監視対象が重要な場所に限られる。例えば、配電系統の分岐部分を計測・監視する場合、分岐電路が５本あったとしたら、その５本全部の各々について計測・監視するのではなく、そのうちの重要な分岐電路のみを計測・監視するようにしている。何故ならば、各分岐電路毎に電気量が異なるため、分岐電路に取り付ける計器用変成器（ＣＴ）や計器用変圧器（ＶＴ），信号変換用のトランスジューサは取付箇所に合わせた定格のものを使用せざるを得ないという問題があるからである。
【０００４】
また、計測したデータから電気量を演算して求める場合、計測器の定格に合わせた演算が必要となるため、多数箇所から夫々定格の異なる計器により取り込んだデータを中央の計算機で一括して演算するのは容易でないという問題がある。そこで従来は、例えば５本の分岐電路のうち重要な２本の分岐電路について電気量を計測・監視する場合、各分岐電路毎に当該分岐電路専用の計測・監視装置（コントローラ）を設置している。
【０００５】
【発明が解決しようとする課題】
近年では、ますます省エネルギーが要求され、きめ細かな計測や監視が要求されてきている。つまり、上記例でいえば、５本の分岐があった場合、５本全部の分岐電路の計測・監視を行う必要が生じてきている。しかし、このようなきめ細かな計測・監視を行う場合、従来の考え方の延長で計測・監視を行うと、各分岐電路毎にトランスジューサやコントローラを設置する必要が生じ、設備費用が膨大となって現実的でないという問題がある。即ち、
１）分岐毎のＣＴあるいはＶＴの定格に合わせてトランスデューサを選定する必要があり、仕様決めが容易でない。
【０００６】
２）分岐毎のＣＴに合わせてコントローラもしくは中央装置は計算処理を行う必要があり複雑である。
【０００７】
３）ＣＴの仕様が変わると、トランスデューサの変更や、コントローラもしくは中央装置の計算処理を変更する必要がある。
【０００８】
４）トランスデューサ、Ａ／Ｄ変換部等の配線作業工数が多い。
【０００９】
５）トランスデューサ等を寄せ集めると据付面積が大きい。
【００１０】
６）投資費用が大である。
【００１１】
という問題がある。
【００１２】
本発明の目的は、上記した問題点を全て解決し、配電系統の分岐部分のきめ細かな計測・監視を容易に行うことのできる伝送端末装置、即ち、分岐部分で必要性の最も高い分岐毎の“電流”の計測を主体として“電圧”，“電力”，“電力量”の計測を小形の１台の装置で実現できる伝送端末装置を提供することにある。
【００１３】
【課題を解決するための手段】
上記目的は、被監視電路の計器用変圧器からの電圧信号を変換する信号用変圧器と、  ２組以上の被監視電路の計器用変流器からの電流信号を変換する２組以上の内部変流器と、  前記信号用変圧器からの電圧信号及び前記２組以上の内部変流器からの電流信号を所定のタイミングで択一的に選択する選択手段と、該選択手段により選択した電圧信号及び電流信号をディジタル量に変換するアナログ／ディジタル変換手段と、該アナログ／ディジタル変換手段により変換したディジタル量を記憶する記憶手段と、前記被監視電路の計器用変圧器の一次定格電圧値及び前記被監視電路の２組以上の計器用変流器の一次定格電流値を設定する定格値設定手段と、前記記憶手段により記憶したディジタル量と前記定格値設定手段により設定された一次定格電圧値と一次定格電流値とから前記被監視電路の電気量の演算をする中央処理装置と、上位装置に対して前記演算の結果得られた電気量のデータを伝送する伝送手段とを筐体に一体に収納する構成にしたことで達成される。
【００１６】
【作用】
分岐電路全ての電流値等を上記構成の１台の伝送端末装置に取り込み、中央処理装置は、各電流値等の定格に合わせた諸電気量を演算し、その演算結果を、上位装置に伝送する。これにより、１つの１つの分岐電路に異なる定格のトランスジューサを設置する必要がなくなり、また、各定格に基づく諸電気量の演算は現場設置の伝送端末装置で行い、中央設置の上位装置は諸電気量の演算を行う必要はなくなる。
【００１７】
【実施例】
以下、本発明の一実施例を図面を参照して説明する。
図１は、本発明の第１実施例に係る伝送端末装置のブロック構成図である。伝送端末装置１は、以下に説明する部品，装置を１つの筐体内に備え一体ものとして構成される。この伝送端末装置１において、２は電圧入力部、２ａ，２ｂ，２ｃは伝送端末装置１に電源を供給する端子、３は供給された電源を以下に説明する各部に適した電圧に変換して各部に供給するための電源部であり、入力電圧８５Ｖ〜２６４に対応するものである。４は信号用変圧器、５は交流信号を所定の矩形波の直流信号に変える比較器、１６は波形を整形するＩＣである。７は上記整形された矩形波信号を伝える信号線で周波数検出信号線である。
【００１８】
８は、マイコン等の中央処理装置（以下、ＣＰＵと称す。）であり、２組以上の被監視電路の電流信号の演算処理を主要目的として、各部を統括制御する。９は上記の演算処理や統括制御の手順を記憶するＲＯＭ（リードオンメモリ）、１０は演算結果や途中経過を記憶するＲＡＭ（ランダムアクセスメモリ）であり、これらのＲＯＭ９，ＲＡＭ１０は、ＣＰＵ８に内蔵されている。
【００１９】
１１ａ，１１ｂ，…，１１ｎは、各々１組の被監視電路からの電流信号を取込む電流入力部で、１２ａ，１２ｂ，１２ｃ，１２ｄの４つの端子と、内部変流器１３、増幅器１４およびサンプルホールド（保持）回路１５で構成されている。６はサンプルホールド回路１５に指示を与える保持指令信号線、１７は上記複数の入力部からの信号を所定のタイミングで択一的に選択を行う選択部（マルチプレクサ）であり、このタイミングや選択場所は制御線１８により指示される。
【００２０】
１９は、上記選択部１７により選択された信号（アナログ信号）をディジタル量（値）に変換するＡ／Ｄ変換部（Ａ／Ｄコンバータ）である。２０，２１はＡ／Ｄ変換部１９に変換指示を与えたり、変換終了を検出するなどの制御線である。２２ｂ，２２ｃ，…，２２ｎは、ＣＴ１０５ａ，…に対応して設けた設定部で、ＣＴの一次定格を設定するものである。また、２２ａは、ＶＴの一次定格を設定する設定部である。
【００２１】
２３は、伝送端末装置１の固有番地を設定するアドレス設定部で、中央制御室等に設置されている上位装置との間で通信を行う際に、この上位装置に接続される複数の伝送端末装置の各々を番地付けするものである。２４は、上位装置と通信を行う伝送部で、端子２５により後述する伝送線により上位装置と接続される。２７は、上記した増幅器１４と同種の増幅器で、電圧信号増幅用である。
【００２２】
図２は、図１に示す伝送端末装置１を配電系統に適用したシステムの構成図である。
１０２は変圧器（ＴＲ）、１０３はヒューズ（Ｆ）１０４は計器用変圧器（ＶＴ）１０５ａ〜１０５ｅは計器用変流器（ＣＴ）である。１０６は二次変電所などの変圧器（ＴＲ）、１０７ａ〜１０７ｅはＣＴである。１０８は、電動機，照明機器，コンピュータ，空調機など各種の負荷である。
【００２３】
１００は中央装置で、各現場に設置された複数の伝送端末装置１が計測し演算した結果を集計して監視するための計算機（汎用パソコン等）である。１０１は、各伝送端末装置１と中央装置１００とを接続する伝送線である。
【００２４】
図３は、図１の単線図で示した配電系統の被監視電路と伝送端末装置１の詳細な実体結線図である。図３の実体結線図は、各種相線式のうち三相３線式を示したもので、配電系統では最も一般的なものである。図中のＲ，Ｓ，Ｔは配電線の相を示すもので、理解し易いように、ＲはＲ相，ＳはＳ相，ＴはＴ相を示している。従って、このような相線式での電流の計測・監視は、１つの分岐に対し少なくとも２ヶ所必要であり、図中ではＣＴを１０５ａＲ，１０５ａＴなどと示している。尚、単相３線式も同様である。
【００２５】
図４は、図１における設定部２２ａ及び２２ｂ〜２２ｎの詳細回路と、ＶＴ，ＣＴの一次定格に対する設定部の対応を示している。２２０，２２１は電位を確立させるための抵抗である。
【００２６】
図５は、伝送端末装置１の正面図である。符号で示す部品は、図１に対応している。なお、端子２ａ〜２ｃ，１２ａ〜１２ｄ，２５や各設定部は、カバー２２３，２２４で覆うことができる。
【００２７】
次に、上述した伝送端末装置１の動作を説明する。
図６は、交流信号を所定のタイミングでサンプリング（抽出）して計測値を求める基本的な方法を示したもので、本実施例では、交流の１周期を１２回サンプリングしている。
【００２８】
電流の実行値Ｉは、図に示す計算式のように、各サンプリング値（ｉ１〜ｉ１２）を２乗して１周期分を加算してからサンプリング数ｎ（１２）で除し、根をとれば算出できる。電圧も同様である。また、本実施例では、サンプリングの後の１周期で計算結果を求めている。
【００２９】
以下、分岐部分の分岐数が“８”の例について説明する。
図７は、電源投入時処理手順を示すフローチャートである。まずＳ１で、内部の初期処理を行う。Ｓ２では、図１の周波数検出信号線７の矩形波チェックを行い、５０Ｈｚか６０Ｈｚであるかを判定し、判定結果によりサンプリング間隔を決定する。即ち、５０Ｈｚでは１周期が１／５０秒であるためサンプリング間隔は１／（５０×１２）秒であり、６０Ｈｚでは１／（６０×１２）秒となる。
【００３０】
次のＳ３は、図６に示した計算処理が早く終了した場合等を考慮したもので、次回のサンプリング開始タイミング（例えば上記矩形波の立上り）をチェックする。そしてＳ４で上記サンプリング間隔をＣＰＵ８の内部タイマにセットし、所定のタイミングで割込処理ができるようにする。次のＳ５では、上記割込処理が可能なようにタイマ割込解除を行い、割込待ちとなる。
【００３１】
図８は、タイマ割込処理手順を示すフローチャートである。この割込間隔の時間は、上記したサンプリング間隔の時間である。
まずＳ６で、前記した保持指令信号線６を介してホールド（保持）指令を行ってからＳ７に処理が移る。Ｓ７では、まずＳ７ａで選択部１７の第１チャンネルを選択し（この場合被監視電路のＲ相−Ｓ相間の電圧に相当）、次にＳ７ｂでＡ／Ｄ変換部１９に対し変換指令を行う。次にＳ７ｃで変換が終了したか否かを判断し、終了していなければ終了を待ち、終了していればＳ７に移り変換されたディジタル量（値）を読出してＲＡＭ１０に記憶する。なお、記憶場所については図１１で後述する。
【００３２】
次にＳ８では選択部１７の第２チャンネルを選択し（この場合被監視電路のＳ相−Ｔ相間の電圧に相当）、上記Ｓ７と同様の処理を行う。次のＳ９では選択部１７の第３チャンネルを選択し（この場合被監視電路のＣＴのＲ相に相当）、上記Ｓ７と同様の処理を行う。Ｓ１０では選択部１７の第４チャンネルを選択し（この場合被監視電路のＣＴのＴ相に相当）、上記Ｓ７と同様の処理を行う。以下、同様にして他の分岐部分の被監視電路のＣＴに対応する第１８チャンネルまで処理を次々に行う。
この一連の処理が、図６に示すｖ１，ｉ１の位置に相当するタイミングである。
【００３３】
Ｓ１２では、上記で説明した交流の１周期分のサンプリング回数即ち本実施例例では１２回が終了したか否かをチェックし、終了していなければＳ１３に移り記憶場所を更新してＳ１４で後述する受信割込みを解除し、次のサンプリングタイミング（即ち図６のｖ２，ｉ２の位置）で割込みが発生するのを待つ。
【００３４】
このようにして１周期１２回の一連の処理が終了すると、Ｓ１５に移りタイマ割込を禁止（即ちサンプリング処理）し、Ｓ１６では受信割込を解除し計算処理Ｓ１７に移る。計算処理は図１０で後述する。次に計算処理が終了するとＳ１８に移り、Ｓ３と同様タイミングチェックを行い、Ｓ１９でタイマ割込を解除し、待機状態即ち割込み待ち状態となる。
【００３５】
図９は、受信割込み処理手順を示すフローチャートである。この処理は、上位装置１００との間で通信を行うための処理である。
受信割込みは、図８で説明したタイマ割込み処理より優先度は低く、受信割込みが解除されているとことろで処理が行われる。
【００３６】
まず、Ｓ４０で受信した内容について通信上の障害有無のチェックを行い、次にＳ４１で送信するデータ（図１２に示す計算結果）の先頭アドレスをセットし、Ｓ４２で送信可能状態にあるかチェックし、送信可能状態でなければ待ち、送信可能であればＳ４３で上記アドレスで示した場所のデータを読出しＳ４４で送信を行う。次のＳ４５では、上記データのすべてが送信終わったかをチェックし、終わってなければＳ４６でデータアドレスの更新を行いＳ４２に戻る。また、全データの送信が終了した場合は、元の処理すなわち、待機状態の場所に戻る。あるいは、Ｓ１７の演算処理の途中に戻り処理を継続する。
【００３７】
図１０は、三相３線式，単相３線式における計算処理手順を示すフローチャートである。図１１は、図６及び図８で説明したところの所定のタイミングでサンプリングを行い、Ａ／Ｄコンバータ１７でディジタル量に変換し、読み書き可能なＲＡＭ１０に記憶したところを示す図である。また図１２は、図１０で示した計算処理の結果を記憶した例を示す図である。
【００３８】
まず、図１１に示すサンプリングしたデータからＳ３０でＲ相・Ｓ相間の線間電圧について計算を行うが、計算の基本は図６に示した通りである。次にＳ３１でＳ相・Ｔ相間の線間電圧を同様に求め、Ｓ３２ではＴ相・Ｒ相間の線間電圧を計算する。尚、三相３線式及び単相３線式におけるＴ相・Ｒ相間の線間電圧は、０から減算すれば得られることは公知である。
【００３９】
次にＳ３３では、図１に示した入力部１１ａに対応する電流について計算を行う。即ち、Ｒ相の電流をＳ３３ａで、Ｔ相の電流をＳ３３ｂで計算し、Ｓ相は上記電圧と同様に、Ｓ３３ｃに示すように、０から減じれば結果が得られる。Ｓ３４では、図１に示した入力部１１ｂに対応する電流について計算を行うが、これはＳ３３と同様である。
【００４０】
以上のようにして、次々と電流計算を行ない、本実施例では、８組分の電流について計算し、結果を、図１２に示すように、ＲＡＭ１０の各記憶領域に記憶する。
【００４１】
尚、上記実施例では１組の電圧の計算処理も含めて説明したが、この計算処理を省略することは可能である。また、図１０で示したフローチャートでは、図４に示すＶＴ，ＣＴの一次定格に対する換算計算及び、図１に示す増幅器１４，２７，Ａ／Ｄコンバータの分解能に関する詳細説明を省略したが、各々の根を求める計算の後でまとめて計算することができるのは明白である。
【００４２】
以上の実施例によれば、三相３線式及び単相３線式における分岐部分の複数の電流と電圧について計測・監視が行なえる。
【００４３】
次に、本発明の応用実施例について図１３〜図１５を参照して説明する。
図１３は、単相２線式のシステムに上述した伝送端末装置１を接続した図である。本実施例では、電源端子２ｂと２ｃは端子部で短絡したもので、前記で説明したＳ相・Ｔ相間の電圧は“０”になる。図１４は単相２線式の計算フローチャートを示し、図１１で示したサンプリングデータを基に計算する。図１４での計算処理において、前述した第１実施例と異なる点は、電圧計算が１相分（Ｒ・Ｓ間）、電流計算のＳ相分が無い点である。また図１５に計算結果の記憶例を示す。
【００４４】
すなわち、本実施例では、三相３線式及び単相３線式から余分な計算を省いているが、逆の発想からすれば、第１実施例の計算処理をそのまま用いても何ら支障がないことを示すものである。
【００４５】
第１実施例では、三相３線式及び単相３線式の分岐数８の電流計測を示したが、本実施例では、応用の仕方によって、単相２線式の分岐数１６の電流計測が可能なことを意味しているわけである。
【００４６】
次に、本発明の第２実施例について、図１６〜図１８を参照して説明する。
第２実施例の目的とするところは、分岐部分の２組以上の被監視電路の電流と、電力及び電力量の計測を可能とするところにある。三相３線式及び単相３線式の電流計測については上記第１実施例について説明したので省略し、以下電力及び電力量の計測について説明する。
【００４７】
図１６は、単相分の電力を表現したもので、交流の１周期の電流と電圧の積を平均したもの（図の△Ｐ）が電力と定義されていることは公知の通りである。従って、図６において説明した所定のタイミング毎のサンプリングした電流ｉと電圧ｖの積を１周期分加算し、サンプリング回数で除したものが電力となる。また電力量は、電力に時間を乗じたものであり、図中に示す△Ｐと△ｔを乗じ、結果を累積したものが積算電力量となる。
【００４８】
次に、図１７を用いて、計算の手順を説明する。
まず、図１１で説明した電圧と電流のサンプリングデータをもとに、Ｓ６０で入力部１１ａに対応した部分の電力の計算を行うが、Ｓ６０ａではＲ相・Ｓ相間の電力を求める。次にＳ６０ｂで、Ｓ相・Ｔ相間の電力を求める。次の６０ｃでは、二電力計法により１分岐分の電力を求める。同様にして他の電流入力部１１ｂ，…，１１ｎ（本例では８分岐分）に対応して、Ｓ６１，Ｓ６２の順で計算を行う。
【００４９】
Ｓ６３では、電力量を計算するが、図６で説明したように、計算処理を次の周期で専有するので、“２”を乗じ累積，結果を記憶する。このような処理をＳ６４，Ｓ６５と次々に行い、結果を、図１９に示すようにＲＡＭ１０に記憶する。この後で、図１０に示した電流計算を行う。図１８は、上記電力及び電力量の計算結果を記憶した例を示す図である。図中（△ＰＲＳ），（△ＰＳＴ）は各線間の電力を示す。
【００５０】
なお、本実施例では、電力量の計算を全部の電力の計算後に行ったが、各部分の電力計算直後に計算しても良いことは当然である。また、図６で示した計算処理の時間は１周期分で示したが、計算処理時間が長く必要であれば次の周期まで延長して３倍すれば良いことは言うまでもない。
【００５１】
次に、第２実施例の応用例について、図１９，図２０を参照して説明する。
図１９は、単相２線式における電力・電力量の計算フローチャートを示すもので、Ｓ７０とＳ７１は、図１３に示す１０５ａＲ，１０５ａＴに相当する電力の計算を行うステップであり、Ｓ６０ａは図１７と同じである。Ｓ７１（６０ｂ´）は、図１７に示すＳ６０ｂと少し異なり、電圧のサンプリングデータが、Ｓ６０ａと同じＲ・Ｓ間の電圧とＴ相の電流の積になる点が異なるが、後は同じである。同様にして、Ｓ７２，Ｓ７３，Ｓ７４の順に１６点分の電力計算を行う。そして、Ｓ７５で電力量の計算を行い、Ｓ７６，Ｓ７７と順次１６点分の電力量計算を行う。
【００５２】
また、これら計算した結果は、図２０で示すようにＲＡＭ１０の所定位置に記憶する。ここで図中の“−”は空きを示すが、図１８と対比してみれば、この意味は理解できるはずである。すなわち、三相３線式及び単相３線式の考え方との思想統一である。しかしながら、計算処理手順においては、上記説明した通り電圧について異なるため、処理手順を記憶するＲＯＭ９は異なる。
【００５３】
図１の説明では、停電検出部２８及び負不揮発性記憶部２６の説明を省いたので、以下これを説明する。
停電検出部２８は、波形整形回路６の出力を受けて動作をする。即ち、停電を検出し、これを停電検出信号線２９を介してＣＰＵ８にいち早く伝え、電力量の計算結果を不揮発性記憶部２６に記憶させる。
【００５４】
不揮発性記憶部２６は、例えばＥＥＰＲＯＭ（Ｅｌｅｃｔｒｉｃａｌ・Ｅｒａｓａｂｌｅ・Ｐｒｏｇｒａｍｍａｂｌｅ・Ｒｅａｄ・Ｏｎｌｙ・Ｍｅｍｍｏｒｙ）で構成される。この素子は、電気的消去可能で書き変え可能なメモリ素子であり、永久的に記憶ができる。
【００５５】
復電した場合は、図７に示す電源投入時フローチャートの初期処理で上記不揮発性記憶部２６の内容をＲＡＭ１０の電力量計算結果の位置に転送し、これにより継続して計算結果を累積することが可能となる。
【００５６】
次に、本発明の第３実施例について、図４及び図２１を用いて説明する。
上述した第２実施例では、三相３線式及び単相３線式と単相２線式とで電力計算処理が異なるためＲＯＭ９を各々専用としたが、製品の標準化の見知で考えると好ましくない。そこで、本実施例では、これを解決するために、図２１に示す相線式判断処理を行う。
【００５７】
そこで、図４に示すＶＴ一次定格設定部２２ａのビットＮｏ．４（２２２）を利用してＣＰＵが相線式を判断し、図２１に示すフローチャートの計算処理を行う。すなわち、計算処理に先立ち、Ｓ４７で、単相２線式（上記ＶＴ一次定格設定部のビットＮｏ．４がオン）か否かを判断し、単相２線式でなければＳ４８で三相３線式（単相３線式も同じ）の電力・電力量計算を行い、Ｓ４９でさらに電圧・電流の計算を行う。単相２線式であればＳ４７からＳ５０に進み、単相２線式の電力・電力量計算を行った後、単相２線式の電圧・電流計算を行う。計算処理の内容は、第１実施例，第２実施例で説明した通りである。また、計算処理の手順は、ＲＯＭ９に記憶する。
【００５８】
以上のように、相線式の判断を行うことにより、分岐部分の相線式に合わせて伝送端末装置１を用いることができる。従って、製品の標準化がはかれ、また、使用者は機種選定の煩わしさがなくなる。
【００５９】
ところで、上記第２実施例及び第３実施例での電気量計測は、電圧・電流，電力・電力量であったが、電圧・電流のサンプリングデータがあれば、無効電力，無効電力量を算出することができる。詳細説明は省略するが、無効電力は位相差９０°の電圧と電流の積で求められることは公知の事実である。また、電力（有効電力）と無効電力が得られると、力率を計算できることは勿論である。
【００６０】
【発明の効果】
本発明によれば、受配電系統における分岐部分毎のＣＴ一次定格や、ＶＴの一次定格を気にすることなく仕様決めが１台の装置で容易に計測でき、中央装置で集中した監視が可能となる。また、伝送端末装置自身で各々の計算を行い上位装置に伝送するので、中央装置の負担が軽減され、更に、ＣＴやＶＴの変更があっても伝送端末装置で対応できるのため、中央装置の計算処理を変更する必要がないという効果もある。
【００６１】
また、配線作業工数の低減，設置面積の低減など効果は大である。さらに、分岐部分の各分岐毎の電力，電力量の計測を可能としたことは、負荷毎のきめ細かなエネルギー使用状態を把握でき、省エネルギーの施策に役立つ。更にまた、相線式を判断できることにより、配電系統の相線式に合わせた計測が１台で行える大きな効果があり、投資費用の大きな低減と、配電系統の安定した供給に絶大な効果をもたらす。
【図面の簡単な説明】
【図１】本発明の一実施例に係る伝送端末装置のブロック構成図である。
【図２】図１に示す伝送端末装置を配電系統に配置したシステム構成図である。
【図３】三相３線式（単相３線式も同様）における実体結線図である。
【図４】ＣＴ，ＶＴの一次定格を設定する設定部の詳細図と一次定格に対する設定部の設定対応内容を示す図である。
【図５】伝送端末装置の正面図である。
【図６】サンプリングと電流・電圧計算式を説明する図である。
【図７】電源投入時の処理手順を示すフローチャートである。
【図８】タイマ割り込み処理手順を示すフローチャートである。
【図９】受信割り込み処理手順を示すフローチャートである。
【図１０】三相３線式・単相３線式計算処理手順を示すフローチャートである。
【図１１】サンプリングデータの記憶例を示す図である。
【図１２】三相３線式・単相３線式計算結果の記憶例を示す図である。
【図１３】単相２線式の実体結線図である。
【図１４】単相２線式における電流計算フローチャートである。
【図１５】単相２線式の計算結果の記憶例を示す図である。
【図１６】電力計算を説明する図である。
【図１７】三相３線式（単相３線式も同じ）の電力・電力量の計算フローチャートである。
【図１８】電力・電力量計算結果の記憶例を示す図である。
【図１９】単相２線式の電力・電力量の計算フローチャートである。
【図２０】図１９の結果の記憶例を示す図である。
【図２１】相線式を判断して処理を行うフローチャートである。
【符号の説明】
１…伝送端末装置，２…電源端子１１ａ，１１ｂ，１１ｎ電流信号入力部，１７…選択部，１９…Ａ／Ｄ変換部，８…中央処理装置，２２ａ…ＶＴ一次定格設定部，２２ｂ，２２ｃ，２２ｎ…ＣＴ一次定格設定部，２４…伝送部２２２相線式判断ビット。
【図１】
0003634893.tif 000002
【図２】
0003634893.tif 000003
【図３】
0003634893.tif 000004
【図４】
0003634893.tif 000005
【図５】
0003634893.tif 000006
【図６】
0003634893.tif 000007
【図７】
0003634893.tif 000008
【図８】
0003634893.tif 000009
【図９】
0003634893.tif 000010
【図１０】
0003634893.tif 000011
【図１１】
0003634893.tif 000012
【図１２】
0003634893.tif 000013
【図１３】
0003634893.tif 000014
【図１４】
0003634893.tif 000015
【図１５】
0003634893.tif 000016
【図１６】
0003634893.tif 000017
【図１７】
0003634893.tif 000018
【図１８】
0003634893.tif 000019
【図１９】
0003634893.tif 000020
【図２０】
0003634893.tif 000021
【図２１】
0003634893.tif 000022